(57)【要約】【課題】遠隔基地局からハンドオフする場合、収容先のネイバーリストを基に、ハンドオフ先を探しても、近接基地局からの電波が到達するとは限らないため、ハンドオフ先が見つからずに呼が切断することがある。【解決手段】基地局は、複数セルで構成される移動体通信システムにおいて、大地面に垂直な方向に複数配置した受信アンテナと、各アンテナに対応した受信部と、各アンテナが受信する同一移動体通信端末からの電波の航路差を判定する装置とを含む。基地局は、各アンテナが受信する同一移動体通信端末からの電波の航路差が、一定値以下、若しくは大地面に対してより離れているアンテナの受信電波よりも、大地面に近いアンテナの受信電波の航路長が長い場合、第２のネイバーリストを対象移動体通信端末に個別に通知し、移動体通信端末内部のネイバーリストを更新させる。【選択図】図１
2013062564.tif 000002
【特許請求の範囲】
【請求項１】
鉛直線上に間隔Ｌを採って配置された２本の受信アンテナと、これら受信アンテナに接続された２台の受信部と、これら受信部と接続され、前記受信アンテナが受信する同一移動体通信端末からの電波の航路差を算出する航路差算出装置と、この航路差算出装置と接続された制御部とを含む基地局と、
複数の基地局のネイバーリストを記憶する記憶装置と、
を含む移動体通信システムであって、
前記制御部は、前記航路差算出部が算出した航路差ｄが、予め定めた閾値Ｃ以下のとき、当該移動体通信端末から位置情報を取得して、この位置情報に基づいて、前記記憶装置から前記移動体端末近傍の基地局情報を取得して、ネイバーリストを作成し、作成したネイバーリストを前記移動体通信端末に送信することを特徴とする移動体通信システム。
【請求項２】
請求項１に記載の移動体通信システムであって、
前記基地局のサービスセルエッジに、移動体通信端末をおき、この時に観測される航路差ｄ１を前記閾値Ｃとすることを特徴とする移動体通信システム。
【請求項３】
請求項１に記載の移動体通信システムであって、
前記基地局のサービスセルエッジに、移動体通信端末をおき、前記アンテナに到達する電波の仰角θから
ｄ２＝Ｌ×ｓｉｎθ
を求め、このｄ２を前記閾値Ｃとすることを特徴とする移動体通信システム。
【請求項４】
鉛直線上に間隔Ｌを採って配置された２本の受信アンテナと、これら受信アンテナに接続された２台の受信部と、これら受信部と接続され、前記受信アンテナが受信する同一移動体通信端末からの電波の航路差を算出する航路差算出装置と、この航路差算出装置と接続された制御部と、複数の基地局のネイバーリストを記憶する記憶部と、を含む基地局であって、
前記制御部は、前記航路差算出部が算出した航路差ｄが、予め定めた閾値Ｃ以下のとき、当該移動体通信端末から位置情報を取得して、この位置情報に基づいて、前記記憶部から前記移動体端末近傍の基地局情報を取得して、ネイバーリストを作成し、作成したネイバーリストを前記移動体通信端末に送信することを特徴とする基地局。
【発明の詳細な説明】
【技術分野】
【０００１】
本発明は、複数のセルで構成された移動体通信システムおよび基地局において、特に遠方基地局に収容された移動体通信端末のハンドオフ動作に適した移動体通信システムおよび基地局に関する。
【背景技術】
【０００２】
本技術分野の背景技術として、特許文献１がある。特許文献１において、ＭＳは位置登録時／パラメータ更新時／ハンドオフ時にＭＳが収容されているＢＴＳと近接のＢＴＳの情報を持ったネイバーリストを受信し、そのネイバーリストにより内部のネイバーリストを更新する。
【先行技術文献】
【特許文献】
【０００３】
【特許文献１】特開２００３−２２４８８２号公報
【発明の概要】
【発明が解決しようとする課題】
【０００４】
特許文献１の移動体通信システムは、ハンドオフ時、移動体通信端末が、収容先基地局とその近接の基地局の情報とを持ったネイバーリストを収容先基地局から受信し、移動体通信端末内部に保持していたネイバーリストを更新するとともに、そのネイバーリストを基に、収容先基地局の近接基地局を探査し、ハンドオフ先候補の基地局を決定していた。
【０００５】
しかし、移動体通信端末が高層建築物の上層に存在する等の理由で遠方基地局からの見通しが良い場合、その移動体通信端末が遠方の基地局に収容されるときがある。この場合、移動体通信端末が移動して、その収容先基地局のネイバーリストに基づきハンドオフ先を探しても、近接基地局からの見通しが必ずしも良いとは限らない。このため、移動体通信端末がハンドオフ先を見つけることができずに、呼切断することがある。
本発明は、この呼切断をなくすとともに、呼切断後の再接続に要する無用なトラフィックの発生を防止する。
【課題を解決するための手段】
【０００６】
複数のセルで構成される移動体通信システムにおいて、大地面に垂直な方向に複数配置した受信アンテナと、各アンテナに対応した受信部と、各アンテナが受信する同一移動体通信端末からの電波の航路差を算出する装置とを含む基地局、および移動体通信システムを構成する基地局を識別する情報と、その基地局が設置されている位置の情報とを記憶する記憶装置を設ける。
【０００７】
基地局は、各アンテナが受信する同一移動体通信端末からの電波の航路差が、一定値以下、または大地面に対してより離れているアンテナの受信電波よりも、大地面に近いアンテナの受信電波の航路長が長い場合、移動体通信端末から移動体通信端末の位置情報を通知させるとともに、通知された移動体通信端末の位置情報を基に、収容基地局の位置と移動体通信端末の位置が離れているかを解析する。解析した結果、収容基地局と移動体通信端末の位置が離れている場合、基地局は、記憶装置から移動体通信端末の位置に近い基地局の情報を収集して、既に保持しているネイバーリストとは別の第二のネイバーリストを作成する。次に基地局は、この第二のネイバーリストを対象移動体通信端末に個別に通知し、移動体通信端末内部のネイバーリストを更新させる。
【０００８】
上述した課題は、鉛直線上に間隔Ｌを採って配置された２本の受信アンテナと、これら受信アンテナに接続された２台の受信部と、これら受信部と接続され、受信アンテナが受信する同一移動体通信端末からの電波の航路差を算出する航路差算出装置と、この航路差算出装置と接続された制御部とを含む基地局と、複数の基地局のネイバーリストを記憶する記憶装置と、を含む移動体通信システムであって、制御部は、航路差算出部が算出した航路差ｄが、予め定めた閾値Ｃ以下のとき、当該移動体通信端末から位置情報を取得して、この位置情報に基づいて、記憶装置から移動体端末近傍の基地局情報を取得して、ネイバーリストを作成し、作成したネイバーリストを移動体通信端末に送信する移動体通信システムにより、解決できる。
【０００９】
また、鉛直線上に間隔Ｌを採って配置された２本の受信アンテナと、これら受信アンテナに接続された２台の受信部と、これら受信部と接続され、受信アンテナが受信する同一移動体通信端末からの電波の航路差を算出する航路差算出装置と、この航路差算出装置と接続された制御部と、複数の基地局のネイバーリストを記憶する記憶部と、を含む基地局であって、制御部は、航路差算出部が算出した航路差ｄが、予め定めた閾値Ｃ以下のとき、当該移動体通信端末から位置情報を取得して、この位置情報に基づいて、記憶部から移動体端末近傍の基地局情報を取得して、ネイバーリストを作成し、作成したネイバーリストを移動体通信端末に送信する基地局により、解決できる。
【発明の効果】
【００１０】
本発明によれば、遠方基地局に収容された移動体通信端末が、ハンドオフ時に呼切断されることを防止することができる。さらに、本発明によれば、呼切断後の再接続に要する無用なトラフィックを防止することができる。
【図面の簡単な説明】
【００１１】
【図１】移動体通信システムの構成を説明するブロック図である。
【図２】アンテナ間の航路差を説明する正面図である。
【図３】移動体通信システムの処理を説明するフローチャートである。
【図４】ネイバーリストを構成するセルエリアを説明する図である。
【発明を実施するための形態】
【００１２】
以下、本発明の実施の形態について、実施例を用い図面を参照しながら詳細に説明する。なお、実質同一部位には同じ参照番号を振り、説明は繰り返さない。
【実施例１】
【００１３】
実施例１では、遠方の基地局に収容された移動体通信端末が、呼切断することなしにハンドオフすることが可能な移動体通信システムを説明する。
図１において、移動体通信システム５００は、基地局１００と、記憶装置２００と、移動体通信端末３００とで構成される。さらに基地局１００は、アンテナ１０１と、受信部１０３と、航路差算出装置１０５と、結合器１０６と、送信部１０７と、制御部１０８とから構成される。
【００１４】
アンテナ１０１−１およびアンテナ１０１−２は、大地に対して垂直な同一線上に、縦方向に間隔Ｌを取る。アンテナ１０１−１の方が、アンテナ１０１−２より地表面から距離Ｌだけ高く配置する。アンテナ１０１−１およびアンテナ１０１−２は、移動体通信端末３００より受信した電波を、アンテナ１０１に対応した受信部１０３−１および受信部１０３−２に入力する。
【００１５】
受信部１０３−１、受信部１０３−２は、入力された受信電波を、受信信号に再生する。受信部１０３−１、受信部１０３−２は、また、航路差算出装置１０５に再生した受信信号を入力する。
【００１６】
航路差算出装置１０５は、受信部１０１−１、受信部１０１−２から入力された信号の航路差ｄを算出する。ここで、航路差ｄは、アンテナ１０１−１に入力した電波の航路長と、アンテナ１０１−２に入力した同一移動体通信端末３００からの電波の航路長のアンテナ１０１−２を基準とする差分である。なお、ｄは、０（ゼロ）および負の値をとることがある。
【００１７】
航路差算出装置１０５は、航路差ｄを、予め定めた定数Ｃと比較する。航路差算出装置１０５は、航路差ｄがＣより大きい場合、次のハンドオフ時まで航路差を算出しない。航路差算出装置１０５は、航路差ｄが定数Ｃより小さい場合、移動体通信端末３００の位置情報を要求するように、制御部１０８に通知する。ここで、航路差ｄが定数Ｃより小さい場合は、アンテナ１０１−１に入力した電波の航路長が、アンテナ１０１−２に入力した同一移動体通信端末３００からの電波の航路長より短い場合、即ち航路差ｄが負の値になる場合を含む。
【００１８】
結合器１０６は、アンテナ１０１−２で受信した電波を受信器１０３−２に送信する。結合器１０６は、また送信部１０７の出力をアンテナ１０１−２に送信する。送信部１０７は、下り信号を生成する。制御部１０８は、基地局１００の全体を制御する。制御部１０８は、航路差算出部１０５が算出した航路差ｄが予め定めた閾値Ｃ以下のとき、第２のネイバーリストを生成して、移動体通信端末３００に送信する。なお、基地局１００は、図示しないメモリを保持して、自局のネイバーリストを記憶している。
【００１９】
記憶装置２００は、複数の基地局１００と接続され、それらの基地局のネイバーリストを一括記憶する。移動体通信端末３００は、基地局１００から取得したネイバーリストに基づいて、周辺基地局を探査する。なお、記憶装置２００は、基地局１００内部に個別に有してもよい。
【００２０】
図２を参照して、アンテナ１０１間の航路差を説明する。図２において、一般的にフラウンホーファ領域での航路差ｄは、アンテナ間の距離をＬ、移動体通信端末３００からアンテナに到達する電波の仰角をθとすると、
ｄ≒Ｌ×ｓｉｎθ…（式１）
で一義的に表わされる。したがって、この航路差ｄを求めることにより、アンテナ１０１−１、およびアンテナ１０１−２と移動体通信端末３００とが作る角度がわかる。
【００２１】
この角度（航路差ｄ）は、移動体通信端末３００が、アンテナ１０１−１およびアンテナ１０１−２から離れるほど、または、地上からの高さが高くなるほど、小さくなる。このため、遠方の基地局に収容された可能性があるかどうかは、この航路差ｄを根拠に判定すれば良い。
【００２２】
図３を参照して、移動体通信システムの処理を説明する。基地局１００は、アンテナ間の航路差ｄを測定する（Ｓ１１）。基地局１００は、航路差ｄが予め定めた定数Ｄ以下か判定する（Ｓ１２）。ステップ１２が誤のとき、基地局１００は、ステップ１１に遷移する。ステップ１２が正のとき、基地局１００は、移動体通信端末３００からその位置情報を取得する（Ｓ１３）。基地局１００は、移動体通信端末３００の位置が自サポートセル内か判定する（Ｓ１４）。ステップ１４が正のとき、基地局１００は、保有するネイバーリストを報知情報により、移動体通信端末３００に送信する（Ｓ１６）。
【００２３】
ステップ１４が誤のとき、基地局１００は、記憶装置２００から移動体通信端末３００の位置情報を基に基地情報を取得し、第２のネイバーリストを作成する（Ｓ１７）。基地局１００は、第２のネイバーリストを報知情報により、移動体通信端末３００に送信する（Ｓ１８）。ステップ１６またはステップ１８のあと、移動体通信端末３００は、受信したネイバーリストを基に周辺基地局を探査して（Ｓ１９）、終了する。
【００２４】
図４を参照して、ネイバーリストを構成するセルを説明する。図４において、移動体通信端末３００は、遠方の基地局１００−１に収容されている。基地局１００−１が保持するネイバーリストは、セルエリア４００−１である。移動体通信端末３００が在圏するセル４１０−２は、基地局１００−２のセルである。基地局１００−２が保持するネイバーリストは、セルエリア４００−２である。
【００２５】
基地局１００−１が作成する第２のネイバーリストは、セルエリア４００−２にセル４１０−２を加えたリストである。
【００２６】
図４が示す様に、移動体通信端末３００が遠方の基地局に収容された場合、収容先基地局１００−１のネイバーリストが、移動体通信端末３００が必要とするネイバーリストにならない。したがって、第２のネイバーリスト作成の必要性は明らかである。
【００２７】
収容先基地局１００−１は、送信部１０７、および結合器１０８を介して、この第２のネイバーリストを、対象移動体通信端末３００に個別制御チャネルまたは個別ユーザチャネル等を使用して個別送信し、移動体通信端末３００内部のネイバーリストを更新させる。移動体通信端末３００は、このネイバーリストを基に、近接基地局を探査することができるので、ハンドオフ時の呼切断を無くすことができる。
【００２８】
また、移動体通信端末３００から送信されてきた位置情報と、収容基地局１００−１の位置情報とが近接している（自サポートセル４１０−１内）ときは、収容基地局１００は第２のネイバーリストを作成せずに、収容基地局１００が保有するネイバーリストを通常通り報知情報を使用して移動体通信端末３００に送信する。移動体通信端末３００は、このネイバーリストを基に、近接基地局を探査することができるので、この場合においても、ハンドオフ時の呼切断を無くすことができる。なお、移動体通信端末３００の位置情報と、収容基地局１００−１の位置情報とが近接しているときとは、自サポートセル内の高層ビルに移動体通信端末３００がある場合である。
【００２９】
次に航路差ｄと比較する定数Ｃの決定方法を説明しよう。第一の方法は、移動体通信端末３００を、基地局１００のサービスセルのエッジにおいて、この時に観測される航路差ｄ１を、定数Ｃとする方法である。第二の方法は、移動体通信端末３００を、基地局１００のサービスセルのエッジにおいて、アンテナに到達する電波の仰角θにより、計算によって求めた航路差ｄ２を、定数Ｃにする方法である。この方法によると、航路差ｄがＣより小さくなったときは、移動体通信端末３００が、セルエッジより外か、大地面より高いところに存在することがわかる。なお本定数は、基地局１００が構成するセクタごとに設定してもよい。
【００３０】
また実施例１ではＣを定数としているが、気象条件等によりダイナミックに変化する変数として設定することを妨げない。
【実施例２】
【００３１】
遠方の基地局に収容された移動体通信端末が、呼切断することなしにハンドオフすることが可能な移動体通信システムの実施例２を説明する。
【００３２】
実施例１は、移動体通信システムの構成は、実施例１と同一とし、航路差ｄを算出して制御部１０８に通知を行う迄は、実施例１と同じ動作をする。そのため、詳細な説明はここでは割愛する。
【００３３】
制御部１０８は、航路差算出装置１０５から通知を受取った場合、位置情報を通知するように、移動体通信端末３００に要求する。続いて制御部１０８は、移動体通信端末３００から送信されてきた位置情報を解析する。移動体通信端末３００の位置情報と基地局１００の位置情報とが離れている（自サポートセルから離れている）場合、制御部１０８は、移動体通信端末３００に、内部に保持している第２のネイバーリストをそのまま活用して近接基地局を探査させる。これにより、ハンドオフ時の呼切断を無くすことができる。なお、基地局１００は、ネイバーリストを記憶するメモリに第２のネイバーリストを保持する。この第２のネイバーリストは、他の基地局１００’用に実施例１の手順で生成して、メモリに記憶したものである。したがって、他の基地局１００”用の第３のネイバーリストを記憶することも可能である。
【符号の説明】
【００３４】
１００…基地局、１０１…アンテナ、１０３…受信部、１０５…航路差算出装置、１０６…結合器、１０７…送信部、１０８…制御部、２００…記憶装置、３００…移動体通信端末、４００…セルエリア、４１０…セル、５００…移動体通信システム。
【図１】
2013062564.tif 000003
【図２】
2013062564.tif 000004
【図３】
2013062564.tif 000005
【図４】
2013062564.tif 000006